【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
それぞれが複数の発光素子を含んで構成されて、それぞれが１まとまりの制御単位を構成する複数の発光モジュールと、
各発光モジュールごとに設けられ、対応する発光モジュールを制御する発光モジュール制御手段と、
複数の前記発光モジュール制御手段を制御する中央制御手段と
を備え、
前記複数の発光モジュール制御手段が複数のグループに分けられ、各グループに属する複数の発光モジュール制御手段が各グループ内において直列的に多段接続されると共に、前記複数のグループが前記中央制御手段に並列的に接続され、
前記中央制御手段から前記複数のグループに対してそれぞれ送信された制御情報を、前記各グループ内において、前段の発光モジュール制御手段から後段の発光モジュール制御手段へと順次転送する
発光制御システム。
【請求項２】
前記中央制御手段が複数のグループに対して前記制御情報を並行して送信する
請求項１に記載の発光制御システム。
【請求項３】
前記複数の発光モジュールのそれぞれにおける前記発光モジュール制御手段にモジュールＩＤが割り振られると共に、各発光モジュールに属する複数の発光素子のそれぞれに素子ＩＤが割り振られ、
前記制御情報は、前記中央制御手段において、前記モジュールＩＤと前記素子ＩＤとの組み合わせにより規定される発光素子アドレスを用いて規定された発光シーケンステーブルに基づいて作成されたものである
請求項１に記載の発光制御システム。
【請求項４】
各グループに属する複数の発光モジュール制御手段は、それぞれ、前記制御情報に基づき、グループ間で段階的に呼応しつつ、対応する発光モジュールの発光制御を行う
請求項１に記載の発光制御システム。
【請求項５】
前記複数の発光モジュールのそれぞれにおける前記発光モジュール制御手段にモジュールＩＤが割り振られ、
前記複数の発光モジュール制御手段は、各グループ内に含まれる発光モジュール制御手段が互いに異なるモジュールＩＤを有するようにグループ分けされている
請求項１に記載の発光制御システム。
【請求項６】
前記発光モジュールごとに設けられ、発光モジュール内の各発光素子ごとの輝度を検出する受光センサをさらに備え、
各発光モジュール制御手段は、前記制御情報に基づき、対応する発光モジュールに属する発光素子が前記受光センサによる輝度検出のための発光動作を選択的に行うように制御する
請求項１ないし請求項５のいずれか１項に記載の発光制御システム。
【請求項７】
各発光モジュール制御手段は、前記制御情報に基づき、隣接する発光モジュール間で前記輝度検出のための発光動作が同一時間内に行われることがないように、対応する発光モジュール内の発光素子の発光制御を行う
請求項６に記載の発光制御システム。
【請求項８】
各発光モジュールにおける前記発光モジュール制御手段ごとにモジュールＩＤが割り振られ、
前記複数の発光モジュールは、隣接する発光モジュールの発光モジュール制御手段同士が互いに異なるモジュールＩＤを有するように配置されている
請求項７に記載の発光制御システム。
【請求項９】
各グループ内において、前記受光センサから得られた検出データを、中央制御手段に向けて、前段の発光モジュール制御手段から後段の発光モジュール制御手段へと順次転送する
請求項６に記載の発光制御システム。
【請求項１０】
各発光モジュール制御手段は、対応する発光モジュールに属する複数の発光素子が順次発光するように制御し、
前記受光センサは、各発光素子の発光動作に応じて輝度検出を行う
請求項６に記載の発光制御システム。
【請求項１１】
各発光モジュール制御手段は、前記制御情報に基づき、
前記輝度検出のための発光動作を行うように指示された発光モジュールについては、そこに属する各発光素子の単位発光動作期間が、光源としての本来の発光動作の期間と前記輝度検出のための発光動作の期間とを含み、
前記輝度検出のための発光動作を行うように指示されない発光モジュールについては、そこに属する各発光素子の単位発光動作期間が、光源としての本来の発光動作の期間のみを含む
ように各発光素子の発光制御を行う
請求項６に記載の発光制御システム。
【請求項１２】
各発光モジュール制御手段は、前記制御情報に基づき、
前記輝度検出のための発光動作を行うように指示された発光モジュールについては、そこに属する各発光素子の単位発光動作期間が、光源としての本来の発光動作の期間と前記輝度検出のための発光動作の期間とを含み、
前記輝度検出のための発光動作を行うように指示されない発光モジュールについては、そこに属する各発光素子の単位発光動作期間が、光源としての本来の発光動作の期間とダミー発光動作の期間とを含む
ように各発光素子の発光制御を行う
請求項６に記載の発光制御システム。
【請求項１３】
入力映像信号に基づいて入射光を変調する表示パネルと、
前記表示パネルを照明する照明ユニットと
を備え、
前記照明ユニットが、
それぞれが複数の発光素子を含んで構成されて、それぞれが１まとまりの単位を構成する複数の発光モジュールと、
各発光モジュールごとに設けられ、対応する発光モジュールを制御する発光モジュール制御手段と、
複数の前記発光モジュール制御手段を制御する中央制御手段と
を備え、
前記複数の発光モジュール制御手段が複数のグループに分けられ、各グループに属する複数の発光モジュール制御手段が各グループ内において直列的に多段接続されると共に、前記複数のグループが前記中央制御手段に並列的に接続され、
前記中央制御手段から前記複数のグループに対してそれぞれ送信された制御情報を、各グループ内において、前段の発光モジュール制御手段から後段の発光モジュール制御手段へと順次転送する
画像表示システム。
【手続補正２】
【補正対象書類名】明細書
【補正対象項目名】０００９
【補正方法】変更
【補正の内容】
【０００９】
本発明の発光制御システムは、それぞれが複数の発光素子を含んで構成されて、それぞれが１まとまりの制御単位を構成する複数の発光モジュールと、各発光モジュールごとに設けられ対応する発光モジュールを制御する発光モジュール制御手段と、複数の発光モジュール制御手段を制御する中央制御手段とを備え、複数の発光モジュール制御手段が複数のグループに分けられ、各グループに属する複数の発光モジュール制御手段が各グループ内において直列的に多段接続されると共に、複数のグループが中央制御手段に並列的に接続され、中央制御手段から複数のグループに対してそれぞれ送信された制御情報を、各グループ内において、前段の発光モジュール制御手段から後段の発光モジュール制御手段へと順次転送するようにしたものである。
【手続補正３】
【補正対象書類名】明細書
【補正対象項目名】００１０
【補正方法】変更
【補正の内容】
【００１０】
本発明の画像表示システムは、入力映像信号に基づいて入射光を変調する表示パネルと、表示パネルを照明する照明ユニットとを備え、照明ユニットが、それぞれが複数の発光素子を含んで構成されて、それぞれが１まとまりの単位を構成する複数の発光モジュールと、各発光モジュールごとに設けられ、対応する発光モジュールを制御する発光モジュール制御手段と、複数の発光モジュール制御手段を制御する中央制御手段とを備え、複数の発光モジュール制御手段が複数のグループに分けられ、各グループに属する複数の発光モジュール制御手段が各グループ内において直列的に多段接続されると共に、複数のグループが中央制御手段に並列的に接続され、中央制御手段から複数のグループに対してそれぞれ送信された制御情報を、各グループ内において、前段の発光モジュール制御手段から後段の発光モジュール制御手段へと順次転送するようにしたものである。
【手続補正４】
【補正対象書類名】明細書
【補正対象項目名】００１３
【補正方法】変更
【補正の内容】
【００１３】
本発明の発光制御システムまたは画像表示システムでは、発光モジュール内の各発光素子ごとの輝度を検出する受光センサを発光モジュールごとに設け、各発光モジュール制御手段が、制御情報に基づき、対応する発光モジュールに属する発光素子が受光センサによる輝度検出のための発光動作を選択的に行うように制御するようにしてもよい。この場合には、特に、各発光モジュール制御手段が、制御情報に基づき、隣接する発光モジュール間で輝度検出のための発光動作が同一時間内に行われることがないように、対応する発光モジュール内の発光素子の発光制御を行うようにするのが好ましい。これを可能にするには、例えば、各発光モジュールにおける発光モジュール制御手段ごとにモジュールＩＤを割り振り、隣接する発光モジュールの発光モジュール制御手段同士が互いに異なるモジュールＩＤを有するように複数の発光モジュールを配置するという方法がある。
【手続補正５】
【補正対象書類名】明細書
【補正対象項目名】００１５
【補正方法】変更
【補正の内容】
【００１５】
第１の方法は、上記輝度検出のための発光動作を行うように指示された発光モジュールについては、そこに属する各発光素子の単位発光動作期間が光源としての本来の発光動作の期間と輝度検出のための発光動作の期間とを含むようにし、上記輝度検出のための発光動作を行うように指示されない発光モジュールについては、そこに属する各発光素子の単位発光動作期間が光源としての本来の発光動作の期間のみを含むように各発光素子の発光制御を行う方法である。
【手続補正６】
【補正対象書類名】明細書
【補正対象項目名】００１６
【補正方法】変更
【補正の内容】
【００１６】
第２の方法は、上記輝度検出のための発光動作を行うように指示された発光モジュールについては、そこに属する各発光素子の単位発光動作期間が光源としての本来の発光動作の期間と輝度検出のための発光動作の期間とを含み、上記輝度検出のための発光動作を行うように指示されない発光モジュールについては、そこに属する各発光素子の単位発光動作期間が光源としての本来の発光動作の期間とダミー発光動作の期間とを含むように各発光素子の発光制御を行う方法である。このようにした場合には、ダミー発光動作の存在により、輝度検出を行う発光モジュールと輝度検出を行わない発光モジュールとの間で全光量に違いが生じないようにすることができる。但し、この場合、隣接する発光モジュール間で輝度検出結果に干渉（クロストーク）が生じないようにするために、ダミー発光動作の期間と、輝度検出のための発光動作の期間とを互いにずらすようにするのが好ましい。